【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
硫黄含有量が約０．３質量％未満の潤滑油組成物であって、該潤滑油組成物が、
（ａ）多量の潤滑粘度のオイルと、
（ｂ）潤滑油組成物１００ｇにつき塩基性窒素が約３．５ｍｍｏｌ以下となる量の窒素含有分散剤で、分散剤窒素の全量の５０質量％より多くが非塩基性である分散剤と、
（ｃ）少量の１種以上の中性及び／又は過塩基性金属含有清浄剤であって、清浄剤界面活性剤の全量の約６０〜１００％はフェネート及び／又はサリチレートである清浄剤とを含む潤滑油組成物。
【請求項２】
分散剤窒素が、分散剤又は数平均分子量（Ｍｎ）の平均が約１５００〜約３０００の炭化水素ポリマーから誘導される分散剤の混合物によって潤滑油組成物に付与され、該分散剤又は分散剤の混合物が、潤滑油組成物の全質量を基準として約０．１０〜約０．１８質量％の窒素を提供する請求項１記載の潤滑油組成物。
【請求項３】
前記窒素含有分散剤をアルキルアセトアセテート、ギ酸、グリコール酸、アルキル及びアルキレンカーボネート、無水マレイン酸及び無水コハク酸から選択される化合物と反応させることによって、窒素含有分散剤の塩基性窒素が非塩基性になっている請求項２記載の潤滑油組成物。
【請求項４】
（ｉ）モノビニル芳香族炭化水素の水素化重合体と共役ジエン重合体の共重合体であって、モノビニル芳香族炭化水素の水素化重合体部分が共重合体の少なくとも約２０質量％となる共重合体、（ii）アルキル若しくはアリールアミン又はアミド基、窒素含有複素環基又はエステル結合を含むオレフィン共重合体、及び／又は（iii）分散基を有するアクリレート又はアルキルアクリレート共重合体の誘導体を含む高分子量ポリマーのうちの少なくとも１種をさらに少量含有する請求項１記載の潤滑油組成物。
【請求項５】
排気ガス再循環装置の付いた圧縮点火式エンジンを、硫黄含有量５０ｐｐｍ未満のディーゼル燃料で運転する方法であって、請求項１の潤滑油組成物で該エンジンを潤滑することを含む方法。
【請求項６】
前記エンジンがヘビーデューティーディーゼルエンジンであり、前記排気ガス再循環装置が吸入した空気及び／又は排気ガス再循環ストリームをエンジンの運転時間の少なくとも１０％の時間にわたり露点以下に冷却する請求項５記載の方法。
【請求項７】
硫黄含有量が約０．３質量％未満である潤滑油組成物であって、
（ａ）多量の潤滑粘度のオイルと、
（ｂ）少量の１種以上の（ｉ）モノビニル芳香族炭化水素の水素化重合体と共役ジエン重合体の共重合体であって、モノビニル芳香族炭化水素の水素化重合体部分が共重合体の少なくとも約２０質量％となる共重合体、（ii）アルキル若しくはアリールアミン又はアミド基、窒素含有複素環基又はエステル結合を含むオレフィン共重合体、及び／又は（iii）分散基を有するアクリレート又はアルキルアクリレート共重合体の誘導体を含む高分子量ポリマーと、
（ｃ）中性及び／又は過塩基性のフェネート清浄剤であって、最終オイル１ｋｇにつきフェネート界面活性剤が約６〜約５０ｍｍｏｌの割合で潤滑油組成物に提供できる量のフェネート清浄剤とを含む潤滑油組成物で、該潤滑油組成物には最終オイル１ｋｇにつき１ｍｍｏｌ未満のサリチレート界面活性剤が含まれている潤滑油組成物。
【請求項８】
少なくとも１種の窒素含有分散剤を潤滑油組成物１００ｇにつき塩基性窒素が約３．５ｍｍｏｌ以下となるようにさらに含有し、分散剤窒素の全量の５０質量％より多くが非塩基性である請求項７記載の潤滑油組成物。
【請求項９】
硫黄含有量が約０．３質量％未満の潤滑油組成物であって、該潤滑油組成物が、
多量の潤滑粘度のオイルと、
（i）アルキル若しくはアリールアミン又はアミド基、窒素含有複素環基、又はエステル結合を含むオレフィン共重合体、及び／又は（ii）分散基を有するアクリレート又はアルキルアクリレート共重合体の誘導体を含む１種以上の高分子ポリマーの少量、及び
清浄剤界面活性剤成分のうち約６０〜１００％がフェネート及び/又はサリチレートである１種以上の中性及び/又は過塩基性金属含有清浄剤の少量、
を含有する潤滑油組成物。
【請求項１０】
高分子ポリマーが、アリールアミン基含有オレフィン共重合体を含む請求項９記載の潤滑油組成物。
【請求項１１】
１種以上の中性及び/又は過塩基性金属含有清浄剤が、最終オイル１ｋｇにつきフェネート界面活性剤約６〜約５０ｍｍｏｌを潤滑油組成物に提供する請求項９記載の潤滑油組成物。
【請求項１２】
前記清浄剤が、フェネート／サリチレート混合清浄剤、硫黄を含有しないフェネート清浄剤及びこれらの混合物から選ばれる請求項９記載の潤滑油組成物。
【請求項１３】
リンの含有量が８００ｐｐｍ未満である請求項９記載の潤滑油組成物。
【請求項１４】
排気ガス再循環装置の付いた圧縮点火式エンジンを運転する方法であって、請求項９の潤滑油組成物で該エンジンを潤滑することを含む方法。
【請求項１５】
前記エンジンがヘビーデューティーディーゼルエンジンであり、前記排気ガス再循環装置が吸入した空気及び／又は排気ガス再循環ストリームをエンジンの運転時間の少なくとも１０％の時間にわたり露点以下に冷却する請求項１４記載の方法。
【請求項１６】
硫黄含有量が約０．３質量％未満の潤滑油組成物であって、該潤滑油組成物が、
グループＩ、II、III鉱油及びこれらの混合物から選ばれる、多量の潤滑粘度のオイルと、
（i）モノビニル芳香族炭化水素の水素化重合体と共役ジエン重合体の共重合体であって、モノビニル芳香族炭化水素の水素化重合体部分が共重合体の少なくとも約２０質量％となる共重合体、（ii）アルキル若しくはアリールアミン又はアミド基、窒素含有複素環基、又はエステル結合を含むオレフィン共重合体、及び／又は（iii）分散基を有するアクリレート又はアルキルアクリレート共重合体の誘導体を含む１種以上の高分子ポリマーの少量、及び
末端ビニリデン含有量が少なくとも６５％であり、高反応性ポリイソブチレンから誘導される窒素含有分散剤の少量、
を含有する潤滑油組成物。
【請求項１７】
高分子ポリマーが、アリールアミン基含有オレフィン共重合体を含む請求項１６記載の潤滑油組成物。
【請求項１８】
さらに、フェネート/サリチレート混合清浄剤、フェネート清浄剤、サリチレート清浄剤及びこれらの混合物から選ばれる１種以上の中性及び/又は過塩基性金属含有清浄剤を含む請求項１６記載の潤滑油組成物。
【請求項１９】
清浄剤界面活性剤成分のうち約６０〜１００％がフェネート及び/又はサリチレートである請求項１８記載の潤滑油組成物。
【請求項２０】
前記清浄剤が、フェネート／サリチレート混合清浄剤、硫黄を含有しないフェネート清浄剤及びこれらの混合物から選ばれる請求項１８記載の潤滑油組成物。
【請求項２１】
高反応性ポリイソブチレンのＭｎが約１５００〜３０００である請求項１６記載の潤滑油組成物。
【請求項２２】
排気ガス再循環装置の付いた圧縮点火式エンジンを運転する方法であって、請求項１６の潤滑油組成物で該エンジンを潤滑することを含む方法。
【請求項２３】
前記エンジンがヘビーデューティーディーゼルエンジンであり、前記排気ガス再循環装置が吸入した空気及び／又は排気ガス再循環ストリームをエンジンの運転時間の少なくとも１０％の時間にわたり露点以下に冷却する請求項２２記載の方法。
【請求項２４】
多量の潤滑粘度のオイルと、
（i）モノビニル芳香族炭化水素の水素化重合体と共役ジエン重合体の共重合体であって、モノビニル芳香族炭化水素の水素化重合体部分が共重合体の少なくとも約２０質量％となる共重合体、（ii）アルキル若しくはアリールアミン又はアミド基、窒素含有複素環基、又はエステル結合を含むオレフィン共重合体、及び／又は（ii）分散基を有するアクリレート又はアルキルアクリレート共重合体の誘導体を含む１種以上の高分子ポリマーの少量、及び
フェネート／サリチレート混合清浄剤、硫黄を含有しないフェネート清浄剤及びこれらの混合物から選ばれる１種以上の中性及び/又は過塩基性金属含有清浄剤の少量、
を含有する潤滑油組成物。
【請求項２５】
高分子ポリマーが、アリールアミン基含有オレフィン共重合体を含む請求項２４記載の潤滑油組成物。
【請求項２６】
清浄剤界面活性剤成分のうち約６０〜１００％がフェネート及び/又はサリチレートである請求項２４記載の潤滑油組成物。
【請求項２７】
実質的に硫黄含有フェネート清浄剤を含有しない請求項２４記載の潤滑油組成物。
【請求項２８】
１種以上の中性及び/又は過塩基性金属含有清浄剤が、最終オイル１ｋｇにつきフェネート界面活性剤約６〜約５０ｍｍｏｌを潤滑油組成物に提供する請求項２４記載の潤滑油組成物。
【請求項２９】
排気ガス再循環装置の付いた圧縮点火式エンジンを運転する方法であって、請求項２４の潤滑油組成物で該エンジンを潤滑することを含む方法。
【請求項３０】
前記エンジンがヘビーデューティーディーゼルエンジンであり、前記排気ガス再循環装置が吸入した空気及び／又は排気ガス再循環ストリームをエンジンの運転時間の少なくとも１０％の時間にわたり露点以下に冷却する請求項２９記載の方法。